Podtech/llm-jp-corpus-v4-ja_patent huggingface dataset:
(57)【要約】【課題】ゴルフ練習場のスイング練習において、アドレス時の腕とクラブの角度をスイング中保持できるようにすると共に、初心者のゴルフクラブ投げ出しを防止する。【解決手段】左手首または右手首に本考案器具を取りつけ、ゴルフクラブと連結することによりゴルフスイング時に発生する遠心力をテコの原理で支え、アドレス時の腕とクラブの角度（Ａ）をスイング中保持できるようになる。また手首とゴルフクラブが連結されることによりグリップを緩く握った円滑なスイングの練習ができ、かつ初心者のゴルフクラブ投げ出しを防止できる。【選択図】図３
0003097204.tif 000002
【実用新案登録請求の範囲】
【請求項１】
左手首または右手首とゴルフクラブを連結するバンドで、スイング中腕とゴルフクラブの角度を保持し、かつ初心者のゴルフクラブ投げ出しを防止できる器具。
【考案の詳細な説明】
【０００１】
【考案の属する技術分野】
本考案の器具は左手首または右手首とゴルフクラブを連結するバンドによってゴルフ技術向上に役立つスイング練習ができる。またこのバンドを取りつければゴルフクラブを投げ出す心配がないため、初心者用安全装置としても利用できる。
【０００２】
【従来の技術】
従来のゴルフスイングはアドレス時の腕とクラブの角度がスイング時のクラブの遠心力で崩れることでミスショットを誘発していた。反対にグリップを強く握れば円滑なスイングができない問題があった。また握力の弱い初心者はスイング時にクラブを手から放し危険であった。
【０００３】
【考案の実施の形態】
本考案の器具はアドレス時の腕とクラブの角度をスイング中保持でき、またグリップを緩めてスイングする練習ができ、かつスイング中にクラブを投げ出さないようにできるもので、それを図面について説明すれば（図−１）バンド（１）にバンド（５）を取りつけ先端の輪の部分（８）にクラブを通し固定する。バンド（５）は金具（６）で長さを調整する。このバンドを左手に取りつけた状態は（図−３）（図−４）で（９）の部分を吊ることによりテコの原理で腕とゴルフクラブの角度（Ａ）の保持が可能となり、更にクラブの投げ出し防止にもなる。また右手に取りつけた状態は（図−５）で左手に装着した時と同様の働きをする。
【０００４】
【考案の効果】
本考案の器具をゴルフ練習場で使用することによりスイング中の腕とゴルフクラブの角度（Ａ）の保持及び、クラブを緩く握る円滑なスイングの練習ができ、かつ初心者や握力の弱い人のクラブ投げ出し安全装置として利用できる等、ゴルフ技術及び安全性向上に効果がある。
【図面の簡単な説明】
【図１】器具を正面よりみる。
【図２】器具を側面よりみる。
【図３】本器具取付け時の状態を側面よりみる。
【図４】本器具取付け時の状態を正面よりみる。
【符号の説明】
（１）　伸縮性の手首取付バンド（マジックテープ付き）
（２）　取付バンド
（３）　マジックテープ
（４）　取付器具
（５）　バンド
（６）　長さ調整器具
（７）　クラブ締付用器具
（８）　クラブ通し穴
（９）　クラブ吊点
（１０）　クラブ吊点
（Ａ）　腕とクラブの角度
（Ｂ）　腕とクラブの角度
【図１】
0003097204.tif 000003
【図２】
0003097204.tif 000004
【図３】
0003097204.tif 000005
【図４】
0003097204.tif 000006
【図５】
0003097204.tif 000007
【手続補正書】
【提出日】平成15年6月9日(2003.6.9)
【手続補正１】
【補正対象書類名】明細書
【補正対象項目名】図５
【補正方法】追加
【補正の内容】
【図５】本器具を右手に取付け時の状態を正面よりみる。
(57)【要約】　　　（修正有）【課題】安価に一般家庭用で手軽に気泡バスを楽しめる気泡バス用のバスタブマットを提供する。【解決手段】多くの空気孔４が開けられたバスタブマット１と空気を送るブロワー装置２をチューブ３などで接続する。【選択図】　図１
0003097239.tif 000002
【実用新案登録請求の範囲】
【請求項１】
バスタブマットに複数の空気孔を設け、その空気孔の集合部と、別な場所に設置した空気を送るブロワー装置をチューブや配管で連結させることにより、簡単に気泡バスが形成されるバスタブの底に敷くバスタブマット。
【考案の詳細な説明】
最近は入浴時にいろいろな楽しみを求めることが多くなり、気泡バスもそのひとつであるが、専用のノズルが付いたバスタブや大掛かりな装置が必要であり、バスルームの改造工事などの高額な費用と工事日数を要した。
本案は気泡バス専用のバスタブを必要とせず、一般的な家庭用バスタブで容易に気泡バスの楽しみが味わえる、空気孔（４）付バスタブマット（１）である。
バスタブ近傍に置いた空気を送るブロワー装置（２）と本バスタブマット（１）をチューブ（３）などで接続するだけで、バスタブマット（１）に相当数開けられた空気孔（４）から空気が吹き出し、気泡となり、浴液内を通過する時に肌と接触し、心地よい感触が得られる。
なお、本バスタブマットの大きさと空気孔の数はバスタブの大きさなどから、適したものを作ることができ、材質はゴムや合成樹脂だけでなく、金属表面にゴムやウレタン樹脂などのライニング加工を施した物でもよい。
また本装置と組み合わせる空気を送るブロワー装置に関しては、空気量や空気温度などが適した物を製作してもよいが、市販されている大型水槽用や浄化槽用なども改造して利用でき、装置構成コストを削減できる。
【図面の簡単な説明】
【図１】本案の構成と斜視図
【符号の説明】
１は本バスタブマット、２はブロワー装置、３はチューブ、４は空気孔。
【図１】
0003097239.tif 000003
(57)【要約】　　　（修正有）【課題】幼児、子供、高齢者、手に障害のある人でも、容易に取り扱いができるようにした調味料、食品入り容器を提供する。【解決手段】調味料ａ，ｂ二種類の収納部と２ａ，２ｂ，２ｃ、３ａ、３ｂ、３ｃ、のキャップと蓋を付属する１本体にＴ字型に４ハンドル（取っ手）、を取り付け５飾りふさを有し幼児子供、高齢者、手に障害のある方等に容器、形状、大小に関係無く握りやすく利用しやすく又心理的に幸福感のプラス効果も期待出来るように打出の小槌デザインにしたＴ字型調味料容器。【選択図】　図１
0003097237.tif 000002
【実用新案登録請求の範囲】
【請求項１】
Ｔ字型ハンドル（取っ手）付を特徴とする、調味料、食品入れ容器
【考案の詳細な説明】
【０００１】
【考案に属する技術分野】
本考案は、調味料、食品を入れる容器部分の中央にＴ字型にハンドル（取っ手）を取り付けた調味料、食品容器に関するものである。
【０００２】
【従来の技術】
調味料、食品の種類によって容器の形状、大きさがまちまちで持ちにくく幼児子供、高齢者、手に障害のある方に対して利用しにくい欠点がある。
【０００３】
【考案が解決しようとする課題】
調味料、食品の容器にハンドル（取っ手）を取り付けることにより形状、大きさに関係無く前述の欠点を解決しようとするものである。
【０００４】
【課題を解決するための手段】
上述の目的を達成するための手段として、請求項１に記載した、Ｔ字型にハンドル（取っ手）を調味料、食品容器の中央に取り付け容器の形状、大小に関係無く握りやすくし手を振るしぐさで簡単に調味料、食品を打ち出すように振り出すことで問題点を解決した。
【０００５】
【考案の実施の形態】
調味料を頭部容器の収容室に二種類別々に入れ容器の両端の使用する側の開閉蓋を開き容器の中央にＴ字型に取り付けたハンドル（取っ手）を握り打ち出すように振って調味料を出す。
【０００６】
【実施例】
添付図面に従って実施例を説明する、図１外観図のようにＴ字型のハンドル（取っ手）構造を生かした、打出の小槌のデザインにした。１本体と４ハンドル（取っ手）は耐久性のプラスチック等適宣素材にて一体化成型加工、５は飾りふさ、６の仕切り板で仕切った１本体の２ａ、３ａキャップを外し調味料（塩、こしょう、すりごま七味唐辛子など）の２種類を選択し２，３の各収容室に別々に調味料を入れる。
【０００７】
２ｂか３ｂの蓋のいずれかの使用したい蓋を開き、４ハンドル（取っ手）を握り打ち出すように振りますと使用したい調味料が２ｃか３ｃの振り出し口から振り出し使用後蓋をしめます。
【０００８】
【考案の効果】
本考案は、調味料二種類を収納出来る容器にＴ字型にハンドル（取っ手）をもうけることで容器の形状や容器の大小に関係なく従来の持ち辛い調味料容器も幼児、高齢者、手に障害のある方にも楽に握れる、
又容器のデザインを打出の小槌型縁起物にし利用するたびに金運が良くなるような精神的幸福感を心理的に与える効果。
【図面の簡単な説明】
【図１】Ｔ字型ハンドル（取っ手）付小槌型調味料容器外観図。
【図２】調味料収納部断面図
【符号の説明】
１　　本体
２　　ａ収容室
２ａ　２のキャップ
２ｂ　２の蓋
２ｃ　ａの調味料の振り出し口
３　　ｂ収容室
３ａ　３のキャップ
３ｂ　３の蓋
３ｃ　ｂの調味料振り出し口
４　　ハンドル（取っ手）
５　　飾りふさ
６　　２と３の仕切り板
【図１】
0003097237.tif 000003
【図２】
0003097237.tif 000004
(57)【要約】【課題】本案の糞処理具は、犬が糞をしている時にその糞を袋に受けて処理しようとするものである。【解決手段】糞処理具本体１の先端に，糞を受ける袋３を取り付けるためのかぎ４を付けたくちばし２と、それを開閉するためのバネ５と把手６を有する犬の糞処理具。【選択図】　図２
0003097240.tif 000002
【実用新案登録請求の範囲】
【請求項１】
糞処理具本体１の先端に，糞を受ける袋３を取り付けるためのかぎ４を付けたくちばし２と、それを開閉するためのバネ５と把手６を有する犬の糞処理具。
【考案の詳細な説明】
【０００１】
【考案が解決しようとする課題】
従来の犬の糞処理具は、犬が糞をした後でその処理をするためのものであった。本案の糞処理具は、犬が糞をしている時にその糞を袋に受けて処理しようとするものである。
【０００２】
【課題を解決するための手段】
上記の目的を達成するため、犬の糞処理具を図を追いながら以下説明する。
（１）糞処理具本体１の先端に，糞を受ける袋３を取り付けるためのかぎ４を付けたくちばし２がある。
（２）そのくちばし２を，開閉するため本体１にバネ５を付け、把手６を握って操作することによって、先端のくちばし２が開閉し、取り付けた袋３の口が開閉し，犬の糞を袋３の中に受けて、処理をするための構造の糞処理具。
【０００３】
【本案の効果】
従来の犬の糞処理具は、犬が糞をした後でその糞を掬い取るか、摘まみ取るかによって処理するものであった。そのため草地や石の荒れ地では、十分に処理ができない場合もあり、また匂いなども残り、環境状からも問題があつた。
本案の処理具では、糞を袋にそのまま入れて処理するので、環境を汚すことなく、袋の口を何度でも開閉できるので、便利で、しかも効果的である。
【図面の簡単な説明】
【図１】本考案の見取り図である。
【図２】本考案の使用図である。
【符号の説明】
１　犬の糞処理具本体
２　くちばし
３　袋
４　かぎ
５　バネ
６　把手
７　指穴
【図１】
0003097240.tif 000003
【図２】
0003097240.tif 000004
(57)【要約】　　　（修正有）【課題】タバコの火を消すのに安全で、手を汚さず、消火時間は数秒で完全に火が消え、しかも燃えかすの灰の処理が必要でない窒息式タバコの火消し装置を提供する。【解決手段】入口が少しテーパーになり、テーパーの部分の奥にタバコが差し入れられるタバコの直径の円筒の孔があり、その奥に段がついてタバコが入れられないタバコの直径より少し小さい孔があり、その奥が密閉されるか、少し開放されている消火装置である。【選択図】　図２
0003097236.tif 000002
【実用新案登録請求の範囲】
【請求項１】
入口は少しテーパーになり、テーパーの部分の奥にタバコが差し入れられるタバコの直径の孔があり、その奥に段がついてタバコが入れられないタバコの直径より少し小さな孔があり、その奥が密閉されるか少し開放されている窒息消火のタバコ火消し装置。
【請求項２】
携帯用灰皿に取り付けた請求項１のタバコ火消し装置。
【請求項３】
家庭用灰皿に取り付けた請求項１のタバコ火消し装置。
【考案の詳細な説明】
【０００１】
【考案の属する技術分野】
本考案は、家庭で使われる灰皿や携帯用灰皿に取り付けて使用したり、亦、単独で使用できるタバコの消火装置に関するものである。
【０００２】
【従来の技術】
一般的にタバコを消す時、灰皿に燃焼部を押し付け除去したり潰して消す。この場合不完全な消火だったり、亦、手が汚れたりする。従来にも窒息消火の方法によるタバコ火消し器はあり本考案と類似形態のタバコ火消しも提供されている。この従来品は筒状になっており底が抜けているのは窒息消火の効率が悪く底が付いていると窒息消火の効率はよいが、タバコの火消し時の燃えかすの灰がたまり灰を除去しないと使えない状態である。
【０００３】
【特許文献１】
特開平９−２７１８５４　タバコ火消し器兼ホルダー
特開平７−２６３４３７　タバコ火消し器
【０００４】
【考案が解決しようとする課題】
従来の筒状の管にタバコを差し込む窒息消火機能だけに絞ってみたとき短時間に窒息消火させるためには構造面より密閉性が要求されるが、灰の処理が必要なため底が貫通する筒となって窒息消火といっても密閉度が全くなく、消火時間が早いとは言えない。亦、底付きのものは消火時間は早いが灰をつねに除かねばならない欠点がある。
【０００５】
【課題を解決するための手段】
上記の課題を解決するため本考案は筒状の火消し筒本体の中途に段を設け火を消そうとするタバコが奥に行かないようになっている。
【０００６】
そのため筒の中に差し込まれたタバコは火がついたまま途中の段にとまり、その時燃えているタバコの灰は何にも接触せずその燃えた形のまま窒息効果で消火され、タバコ本体から離れない。
【０００７】
この現象のため消えたタバコを火消し筒より抜き取るとタバコの先に燃えかずの灰がかたまってついており筒の中に灰は残らない。亦、たとへ残ったとしても極わずかの軽い灰である。従来のものは灰が孔に押し込まれて詰まり、機械的に除去しないと取り出せない。
【０００８】
家庭用灰皿では時々水洗いするため底に水を逃がす小さい孔があればよく、携帯用灰皿では、たとへ灰がたまったとしても軽く少量であるため携帯している間に灰皿の中に自然にこぼれる。
【０００９】
この火消し筒を金属でつくった場合、段の所で筒とタバコが直接接触するため熱伝導によりタバコの温度が下がり窒息効果と共に消火時間は急速にちぢまる。実験によると５秒以内で完全に消火できる。
【００１０】
タバコの寸法が変わるとき携帯用では取付金具で火消し筒を取り付け取り外しできる様になっているからタバコの直径に合う火消し筒を取り付ければよい。
【００１１】
【考案の実施の形態】
考案の実施の形態を図面について説明する。図２に於いて消そうとするタバコ６を、テーパー部分２より円筒部３に差し込むとタバコ６は奥に入り直径が更に小さくなっている火消し部３との境の段の所で止まる。
【００１２】
この場合、図２に示す様にタバコ６の先についた燃えかす７は火消し部３の壁及び底に全く接触せず、タバコ６の火はそのままの形態で窒息効果ですぐ消される。
【００１３】
タバコ６を取り出すとタバコの先の燃えかす７はそのままの状態でタバコ６の先について取り出されて火消し部３の中に灰は残らない。假令残ったとしても極わずかで軽い灰である。
【００１４】
従ってタバコを差し込むだけで手の汚れもなく短時間で完全にタバコの火を消すことが出来もえかすの灰の処理も必要でない。
【００１５】
従来のものは図３に示す如くタバコ６の先端の燃えかす灰７は筒の底に残りたまり除去が必要となる。
【００１６】
【考案の効果】
上述の様に、このタバコの火消し装置はタバコの火を消すのにタバコを孔に差し込むだけ数秒で完全にタバコの火が消え、亦、火を消すための手先の汚れもない。
【００１７】
火が消えたタバコを取り出す時、先端の燃えかすの灰がタバコの先端についたまま取り出されるため中に灰は残らずそのまま次に使用できる。
【００１８】
特に路上での喫煙時など据付の灰皿のない所に使用すれば最適である。
【図面の簡単な説明】
【図１】ａ：消火装置の斜視図
ｂ，ｃ，ｄ：消火装置の断面図
【図２】本考案の消火装置にタバコを差し入れ取り出した時のタバコの灰の状態を示す。
【図３】従来の消火装置にタバコを差し入れ取り出した時のタバコの灰の状態
を示す。
【図４】消火装置を取り付けた家庭用灰皿
【図５】消火装置を取り付けた携帯用灰皿
【符号の説明】
１　消火装置本体
２　テーパー部
３　円筒部
４　火消し部
５　小孔
６　タバコ
７　燃えかすの灰
８　家庭用灰皿
９　携帯用灰皿の胴体
１０　携帯用灰皿の蓋
１１　蝶番
１２　消火装置取付金具
【図１】
0003097236.tif 000003
【図２】
0003097236.tif 000004
【図３】
0003097236.tif 000005
【図４】
0003097236.tif 000006
【図５】
0003097236.tif 000007
(57)【要約】【課題】壁面灯における本体にカバーを被覆して、これを取り付ける場合に、その取付作業を容易にし、且つ安全性をもたせると共に、作業の効率の向上と、又部品の削減をはかるために、簡単なる工程によって、これを可能とすることを課題とした。【解決手段】課題を解決するため、本体には両側の外側の一部を切り欠いて、切起し片を傾斜状に形成させ、他方、カバーにはこれを対応する位置に突起部を設けて、カバーをスライドさせ、切起し片に突起部が当接するようにした。【選択図】　　　図４
0003097238.tif 000002
【実用新案登録請求の範囲】
【請求項１】
壁面灯のカバーを、本体に被覆し固定する場合において、カバーの両側面の内側に、それぞれ台形状の突起部を設けると共に、他方、本体の両側には切起し片を傾斜状に設けて、カバーを本体に上方よりスライドさせ、切越し片の傾斜面にカバーの突起部を当接して固定する壁面灯のカバーの取付構造。
【請求項２】
カバーの両側面の内側に設けられた突起部は、これを円弧状とした実用新案登録請求の範囲第１項記載の壁面灯のカバーの取付構造。
【考案の詳細な説明】
【０００１】
【考案の属する技術】
本考案は、壁面灯におけるカバーの取付構造に関する。
【０００２】
【従来の技術】
従来、壁面灯のカバー取付に当たっては、上下２点でネジ止めしていたため、ガタツキが生れ、又ネジ穴を合わせにくいため作業がしにくく、そのためネジを落下したり、ネジ穴にずれがあるとネジ止めも不可能であり、その他カバーの固定が不可能のため、カバーを保持しての作業となり、作業効率も悪いものであった。
【０００３】
【考案が解決しようとする課題】
壁面灯において、カバーを本体に取り付けた場合、カバーのガタツキをなくし、又施行時の効率と安全を向上させるため、簡単なけいじょうによって、これを可能とし、そのため部品のコストを削減し、施行時の安全と効率を上げることを課題とした。
【０００４】
【課題を解決するための手段】
上記の課題を解決するため、カバーには突起部を設けると共に、本体には、これと対応する位置に切起し片を形成させて両者をスライドして固定するようにした。
【０００５】
【考案の実施の形態】
以下、本考案に係る壁面灯のカバーの取付構造について、図面を参照して説明する。
図１に示す如く、カバー（１）は、周囲の一端面及び上下を開口状とした、いわゆるコの字状に形成されたものであって、そして上端には、ネジ穴取付板（１）Ａを設けてその中心にはネジ穴（１）Ｂを設ける。
そして両側面（１）Ｃの各内側には、台形状を呈する突起部（１）Ｄを、それぞれ下方部に溶接固定して設けているものである。
そしてかかるカバー（１）を、安定器（２）Ａ、配線器具を収納したボックス（２）Ｂ等を収納してなる壁面に固定された本件（２）に被覆し、保持固定するものであるが、本体（２）の両側下方には、図３に示す如く、長方形に切欠いて、すなわち同形の切起し片（２）Ｃを起し、これを傾斜状に設けてなるものである。
このような切起し片（２）Ｃを両側面にそれぞれ設けた本体（２）に、カバー（１）を被服して設けるに当たっては、図４の各図に示す工程にしたがって、カバー（１）を本体（２）に上方より被覆してスライドしてゆけば、カバー（１）の突起部（１）Ｄの下方の傾斜面は、本体（２）の切起し片（２）Ｃの傾斜面に当接し、更に強くカバー（１）を上方より押圧してゆけば、カバー（１）は、切起し片（２）Ｃの傾斜の効果により、必然に壁面との隙間を最小限に押えることが可能であり、完全密着の後は、上方よりネジ（５）を、カバー（１）のネジ穴（１）Ｂに通して本件（２）の上面のネジ穴（２）Ｄにネジと止めすれば、それでよい。
なおカバー（１）の突起部（１）Ｄは、前記の台形状に限らず、これを円弧状として中央を膨出させる形状としても、効果において変わることはない。
【０００６】
【考案の効果】
以上の構成からなる本考案は、壁面灯におけるカバーを本体に固定する場合において、カバーには台形状の突起部を設けると共に、他方、本体に対しては、両側に単純なる切起し片を傾斜状に形成させるだけの簡単なる作業工程に係る構成でよく、後にカバーを単に本体にスライドさせれば、切起し片の傾斜により、カバーは必然に壁面に密着するため、後はビス止めすれば固定され、固定のための余分な部品は全く必要とせず、簡単な構成と作業により、強固にカバーの取り付け可能とした作業効率のよい、コストも安価な実用性の高い取付構造を提供するものである。
【図面の簡単な説明】
【図１】カバーの斜視図
【図２】カバーの平面図
【図３】本体の斜視図
【図４】取付構造の工程図
【符号の説明】
（１）　カバー　　（１）Ａ　ネジ穴取付板　　（１）Ｂ　ネジ穴
（１）Ｃ　側面　　　　　　（１）Ｄ　突起部
（２）　本体　　　（２）Ａ　安定器　　　　　（２）Ｂ　ボックス
（２）Ｃ　切起し片　　　　（２）Ｄ　ネジ穴
（３）　灯部
（４）　ソケット
（５）　ネジ
【図１】
0003097238.tif 000003
【図２】
0003097238.tif 000004
【図３】
0003097238.tif 000005
【図４】
0003097238.tif 000006
(57)【要約】　　　（修正有）【課題】固定が十分で、かつ、斜めになったり、ずれたりせず、正確な検眼が出来る。【解決手段】メガネフレーム２のブリッジ部３を下方から上向きに弾性的に挟持するブリッジはさみ部４が下端に、前記ブリッジはさみ部４と共働し、左右のレンズ枠５の上縁を上方から挟持する樋形をした左右一対の挟持腕６が中間部にそれぞれ設けられているブロック状の基部１の上部から左右方向に検眼レンズ枠支持バー７を延設し、この検眼レンズ枠支持バー７に検眼枠７を左右及び上下スライド自在に取り付けた。【選択図】　　　　図１
0003097277.tif 000002
【実用新案登録請求の範囲】
【請求項１】
メガネフレーム２のブリッジ部３を下方から上向きに弾性的に挟持するブリッジはさみ部４が下端に、前記ブリッジはさみ部４と共働し、左右のレンズ枠５の上縁を上方から挟持する樋形をした左右一対の挟持腕６が中間部にそれぞれ設けられているブロック状の基部１の上部から左右方向に検眼レンズ枠支持バー７を延設し、この検眼レンズ枠支持バー７に検眼枠７を左右及び上下スライド自在に取り付けたことを特徴とする検眼補助具。
【考案の詳細な説明】
【０００１】
【産業上の利用分野】
この考案は検眼補助具、詳しくは装用中のメガネフレームに取付け、主に遠近両用レンズの検眼作業に用いる簡易な検眼補助具である。
【０００２】
【従来の技術】
遠近両用メガネは中高年層において多く用いられているが、個々のユーザーに適合したレンズを選ぶには、実際に装用し、レンズを通して見え方を確認する必要があり、その際に用いる簡易な検眼補助具として、特開平９−２８６７０などが提案済みである。
【０００３】
【考案が解決しようとする課題】
この特開平９−２８６７０において開示されている検眼補助具は、ユーザーが実際に使用中のメガネフレームに一時的に取付け、遠近両用レンズの効果をユーザー自身に体験、実感させようとするものであるが、この検眼補助具のメガネフレームへの取付け構造は、従来から市販されているメガネフレーム前面に装着する安価なはね上げ式クリップ固定簡易サングラス板とほとんど同じであり、固定位置がずれやすく、左右のレンズが斜めになることも多く、単なるサングラスとしてならともかく、度の入ったレンズの固定用としては不十分であった。又、左右のレンズの位置を上下方向に調整する機構は全く設けられておらず、上下位置の調整はクリップ位置の変更によって行っており、正確な上下位置合わせは到底期待できず、又、左右のレンズを別々に上下位置合わせすることも不可能であった。更に、左右方向の位置合わせの機構も不十分なものであり、Ｐ．Ｄ合わせやアイポイント合わせを正確に行うことなど不可能であり、到底検眼の用に耐えるものではなかった。更に、検眼用レンズの固定枠が設けられていなかったので、度の異なった検眼レンズを適宜差し換えることも出来なかった。
【０００４】
本考案は、主に遠近両用メガネの調整の際に用いる検眼補助具に関する上記欠点をなくすことを目的とするものであり、簡易な検眼補助具でありながら、従来のものに比べ格段に正確な検眼作業が出来る検眼補助具を提供せんとするものである。
【０００５】
【課題を解決するための手段】
メガネフレーム２のブリッジ部３を下方から上向きに弾性的に挟持するブリッジはさみ部４が下端に、前記ブリッジはさみ部４と共働し、左右のレンズ枠５の上の縁を上方から挟持する樋形をした左右一対の挟持腕６が中間部にそれぞれ設けられているブロック状の基部１の上部から左右方向に検眼レンズ枠支持バー７を延設し、この検眼レンズ枠支持バー７に検眼枠７を左右及び上下スライド自在に取り付けて検眼補助具を構成することにより上記課題を解決した。
【０００６】
【実施の形態】
図１はこの考案に係る検眼補助具の一実施形態の斜視図、図２はこれをメガネフレームに装着した状態の斜視図である。
【０００７】
図中１はこの検眼補助具のブロック状をなした基部であり、この基部１の下端には、図２に示す様にメガネフレーム２のブリッジ部３をその下方から上向きに弾性的に挟持するバネによって付勢されたかぎ形のブリッジはさみ部４が設けられている。又、基部１の中間部からは左右に向かって、前記ブリッジはさみ部４と共働し、左右のレンズ枠５の上縁を上方から挟持する樋形をした挟持腕６，６が延設されている。更に、基部１の上端近傍からは左右方向に検眼レンズ枠支持バー７が延設されており、この検眼レンズ枠支持バー７には一対の滑動子８，８がそれぞれ左右方向に滑動自在に取り付けられており、この滑動子８にそれぞれ検眼レンズ枠９が取付け片１０によって上下スライド自在に取付けられている。
【０００８】
この実施の形態は上記の通りの構成を有するものであり、図２に示す様にブリッジはさみ部４をメガネフレーム２のブリッジ部３の下方に弾性的に係止させると共に、レンズ枠５の上縁に挟持部６を係止させてメガネフレーム２に固定し、検眼レンズ枠９に検眼用のレンズを適宜装着して検眼の用に供するものである。検眼レンズ枠９は、検眼レンズ枠支持バー７に左右及び上下スライド自在に取り付けられているので、これらをスライドさせることにより、Ｐ．Ｄ合わせとアポイント合わせを行うことが出来る。
【０００９】
【効果】
以上、述べた如く、本考案に係る検眼補助具においては、従来のものに比べ、メガネフレームへの固定が確実、安定的に行われ、検眼作業中にずれるおそれはほとんどない。又、検眼レンズ枠は左右別々に自由に上下左右にスライドするのでＰ．Ｄ合わせとアイポイント合わせを正確に行うことが出来る効果を有し、極めて高い実用的価値を有する。
【図面の簡単な説明】
【図１】この考案に係る検眼補助具の一実施形態の斜視図。
【図２】同じくメガネフレーム２に装着した状態の斜視図。
【符号の説明】
１　　基板
２　　メガネフレーム
３　　ブリッジ部
４　　ブリッジはさみ部
５　　レンズ枠
６　　挟持腕
７　　検眼レンズ枠支持バー
８　　滑動子
９　　検眼レンズ枠
１０　　取付け片
【図１】
0003097277.tif 000003
【図２】
0003097277.tif 000004
(57)【要約】【課題】扉をこじあけて家の中に侵入するために特殊な道具を用いたピッキング犯罪や、扉に穴をあけてサムターンを直に回すバイパス開錠犯罪等がますます増加傾向にあるという課題があった。【解決手段】先端にサムターン当て溝（１）と両側にガイド部（２）を備えた中央に長穴（３）を有するアーム（４）を設ける。先端にサムターン当て溝（５）とガイド部（２）の内側を摺動する幅を持ち、中央に長穴（３）内を抵抗なく貫通するボルト（６）を突出したアーム（７）を設ける。サムターン当て溝（１）とサムターン当て溝（５）が両端に来るようにだきあわせて蝶ネジ（８）で伸縮固定自在に調整する。【選択図】　図２
0003097260.tif 000002
【実用新案登録請求の範囲】
【請求項１】
先端にサムターン当て溝（１）と両側にガイド部（２）を設けた中央に長穴（３）を有するアーム（４）と、先端にサムターン当て溝（５）とガイド部（２）の内側を摺動する幅を持ち、中央に長穴（３）内を抵抗なく貫通するボルト（６）を突出したアーム（７）を、サムターン当て溝（１）とサムターン当て溝（５）が両端に来るようにだきあわせて蝶ネジ（８）で伸縮固定自在に調整してなる防犯用サムターン回り止めストッパー。
【考案の詳細な説明】
【０００１】
【考案の属する技術分野】
本考案は、個々にデッドボルトを出し入れして施錠および開錠する働きを持つサムターンを２つ備える扉への着脱自在な防犯装置に関するものである。
【０００２】
【従来の技術】
従来、防犯装置として頑丈な扉や補助鍵を設けることなどが望まれて来た。
【０００３】
【考案が解決しようとする課題】
扉をこじあけて家の中に侵入するために特殊な道具を用いたピッキング犯罪や扉に穴をあけてサムターンを直に回すバイパス開錠犯罪等がますます増加傾向にあるという課題があった。本考案は以上の課題を解決して、安全な扉にすることを目的とする。
【０００４】
【課題を解決するための手段】
先端にサムターン当て溝（２）と両側にガイド部（２）を備えた中央に長穴（３）を有するアーム（４）を設ける。
先端にサムターン当て溝（５）とガイド部（２）の内側を摺動する幅を持ち、中央に長穴（３）内を抵抗なく貫通するボルト（６）を突出したアーム（７）を設ける。
サムターン当て溝（１）とサムターン当て溝（５）が両端に来るようにだきあわせて蝶ネジ（８）で伸縮固定自在に調整する。
【０００５】
【考案の実施の形態】
本考案の実施形態を本考案の構成と実施例に基づき図面を参照して説明する。図１は本考案の構成を示す斜視図で、先端にサムターン当て溝（１）と両側にガイド部（２）を設けた中央に長穴（３）を有するアーム（４）と、先端にサムターン当て溝（５）とガイド部（２）の内側を摺動する幅を持ち、中央に長穴（３）内を抵抗なく貫通するボルト（６）を突出したアーム（７）を示す。他にアーム（４）とアーム（７）をだきあわせて伸縮固定自在に調整するための蝶ネジ（８）を示す。
【０００６】
図２は本考案の実施例を示す斜視図で、個々にデッドボルトを出し入れして施錠および開錠する働きを持つサムターンを２つ備える扉を、共に施錠して水平な上下のサムターン（９）の間のサムターンの基部（１０）に、だきあわせたアーム（４）とアーム（７）を当てながら蝶ネジ（８）をゆるめて伸ばし、両端のアーム（４）のサムターン当て溝（１）とアーム（７）のサムターン当て溝（５）を上下のサムターン（９）に当て止めして蝶ネジ（８）をしめて上下のサムターン（９）を回動できなくしている状態を示す。
【０００７】
【考案の効果】
本考案により、扉をこじあけて家の中に侵入するために特殊な道具を用いたり扉に穴をあけたりしても、扉の内側からサムターン自体を固定することにより外から開錠することができない安全な扉にすることができる。
【図面の簡単な説明】
【図１】本考案の構成を示す斜視図である。
【図２】本考案の実施例を示す斜視図である。
【符号の説明】
１　サムターン当て溝
２　ガイド部
３　長穴
４　アーム
５　サムターン当て溝
６　ボルト
７　アーム
８　蝶ネジ
９　サムターン
１０　サムターンの基部
【図１】
0003097260.tif 000003
【図２】
0003097260.tif 000004
(57)【要約】【課題】ファッション性や芸術性に富んだ、システム手帳等の文具用品を考案する事を課題とする。【解決手段】１の本体表面の素材には、西陣織（登録商標）の織物を使用する。２の本体裏面の素材には皮革等を使用する。１と２を張り合わせることにより３の本体を形成する。本体の表面に西陣織の織物を使用する事を特徴とするものなので、ファッション性や芸術性に富みなおかつ、所有する喜びという新たな価値観を生み出すことができる。【選択図】　図　１【実用新案登録請求の範囲】
【請求項１】
本体の表面に西陣織の織物を使用する事を特徴とするシステム手帳等の文具用品。
【考案の詳細な説明】
【０００１】
【考案の属する技術分野】
本考案は、システム手帳、ファイル等の表紙カバー等を備えた文具用品に関するものである。
【０００２】
【従来の技術】
従来のシステム手帳等の文具用品は、本体の表面の素材に関して、ファッション性や芸術性に欠けているといえる。
【０００３】
【考案が解決しようとする課題】
ファッション性や芸術性に富んだ、システム手帳等の文具用品を提供する事を課題とする。
【０００４】
【課題を解決するための手段】
課題を解決するため本考案は、本体の表面に西陣織（登録商標）の織物を使用する。
【０００５】
【考案の実施の形態】
システム手帳等の文具用品において、本体の表面に西陣織の織物を使用し、本体の裏面は、皮革等を使用する。
【０００６】
【実施例】
以下、添付図面に従って一実施例であるシステム手帳について説明する。１の本体表面の素材には、西陣織（登録商標）の織物を使用する。２の本体裏面の素材には皮革等を使用する。１と２とは、接着もしくは縫製にて、１枚に張り合わせる事により３の本体を形成する。
【０００７】
なお、この実施例はシステム手帳についてであるが、本考案はこれに限定するものではなく、他の文具用品にも実施することができる。
【０００８】
【考案の効果】
上述の様に、本考案のシステム手帳等の文具用品は、本体の表面に西陣織の織物を使用する事を特徴とするものなので、多彩な柄や紋様等があり、ファッション性や芸術性に富みなおかつ、所有する喜びという新たな価値観を生み出すことができる。
【図面の簡単な説明】
【図１】本考案の一実施例を示すシステム手帳の斜視図である。
【符号の説明】
１　本体表面
２　本体裏面
３　本体
【図１】
0003097259.tif 000002
(57)【要約】　　　（修正有）【課題】本人或いは介護人が外部から少しでも何らかの処置が施せるようにした便座を提供する。【解決手段】便座４の開口部の構造は、通常の便座に設けられている大開口部５と、この大開口部５の後方に連続して形成された小開口部６とを有している。小開口部６の大きさは、大人の掌内に便秘用液薬である浣腸などの器物を把持したときのこぶし程度の大きさの開口である。この小開口部６に手を差し込んで所要の処置を容易に施すことができるようにしたものである。【選択図】　　図２
0003097581.tif 000002
【実用新案登録請求の範囲】
【請求項１】
洋式便器の便座において、便座に設けられた大開口部の後方に、大開口部と連続して大人の掌内に器物を把持したときのこぶし程度の大きさの小開口部を形成したことを特徴とする便座。
【考案の詳細な説明】
【考案の属する技術分野】
家庭、介護療養所、病院等のあらゆる場所で、日常一般的に使用されている洋式便器の便座に関する。
【０００１】
【従来の技術】
日常一般的に使用されている洋式便器の便座は、便通の際に、便座に設けられた開口部に対して密着して座位し、安定して座り心地がよくされているにすぎない程度のもので、主に、健康人を対象としているものである。
【０００２】
【考案が解決しようとする課題】
便秘などの便通に異常のある人で、特に、病弱な老人や体が不自由で介護を必要としている人は、通じのつく食べ物を食べ、また通じ薬を飲んではいるものの、なかなか長続きせず、通じが思うようにいかず便秘に悩まされる。
【０００３】そのため、大腸や肛門に裂傷などの異常を引き起こし、手術を余儀なくせざるを得ない事態が生じてしまう。このよな事態を解消する手段として、本人或いは介護人が外部から少しでも何らかの処置が施せるようにした便座を提供する。
【０００４】
【考案が解決するための技術手段】
洋式便器の便座において、便座に設けられた大開口部の後方に、大開口部に連続して大人の掌内に器物を把持したときのこぶし程度の大きさの小開口部を形成したことを特徴とする。
【０００５】
【考案の実施の形態】
図１及び図２により説明すると、洋式便器１は、便座台２上に開口部が設けられた便座４が載置され、便座４は便座台２の後方上部で便座４の後方の部分を軸にして上下に回動自在に枢着されている。また便座台２の後方上部には、蓋体３が便座４の開口部に対して、同じく後方の部分を軸にして開閉自在に取り付けられている。便座４の開口部の構造は、通常の便座に設けられている大開口部５と、この大開口部５の後方に連続して形成された小開口部６とを有している。小開口部６の大きさは、大人の掌内に便秘用液薬である浣腸などの器物を把持したときのこぶし程度の大きさの開口である。
【０００６】このような構造の便座４を使用することにより、普通の健康人に対しては従前通りの利用態様で、座り心地に何ら違和感はない。また便秘に悩まされる病弱な老人や、便通に異常をもっている人に対しては、肛門に裂傷を負わせずに、便通をスムーズにさせるために浣腸を施したり、治療薬を塗布したり、マッサージなどの処置を施す必要がある。
【０００７】このような処置を施すには、本人が便座４に座位した状態で、本人或いは介護人の手に頼らざるを得ず、その際には、従前の便座では本人の尻が開口部に密着していて、肛門に触手するための手を差し込む隙間がない。
【０００８】そのため、便座の後方から手を差し込むことのできる隙間として、便座４の大開口部５の後方で、かつ尻から離れた位置に大開口部５から連続した小開口部６を形成して、この小開口部６に手を差し込んで所要の処置を容易に施すことができるようにしたものである。
【０００９】
【考案の効果】
本考案のように便座の大開口部の後方に連続して小開口部を形成したことにより、便座に座位した状態で、小開口部に便座の後方から手を差し込んで、肛門に触手して所要の処置が容易にできるものである。
【図面の簡単な説明】
【図１】洋式便器の斜視図。
【図２】本考案による洋式便器の便座。
【符号の説明】
１　洋式便器
２　便座台
３　蓋体
４　便座
５　大開口部
６　小開口部
【図１】
0003097581.tif 000003
【図２】
0003097581.tif 000004
(57)【要約】【課題】上水道の圧力に耐えられる任意の容量の貯水タンクを容易に製造する。【解決手段】容量から逆算した任意の直径の市販パイプ（１）を、任意の長さに切断し、下部に流入口（３）と、上部に流出口（４）を取り付けたキャップ（２）で両端を塞ぎ、周囲をコンクリート（７）で固め、流入口（３）に取水口（５）と逆止弁（６）を取付け、その先を上水道に接続し、流出口（４）の先を建物内部への配管に接続する。非常時には建物内部の水栓を開き空気取り入れ口とし、取水口（５）より水を取り出す。【選択図】　図１
0003097584.tif 000002
【実用新案登録請求の範囲】
【請求項１】
水道直圧式貯水タンクで、必要貯水量から逆算した直径及び長さの市販ビニルパイプと市販ビニルキャップを用い、耐圧性能向上と継ぎ手部分の漏水防止、さらには、災害時の飛散物からの保護を目的として、パイプをコンクリートで固めた構造のタンク。
【考案の詳細な説明】
【０００１】
【産業上の利用分野】
本考案は水道配管経路の途中に取り付けることで、断水時の飲料水を確保する事が出来る耐圧タンクである。
【０００２】
【従来の技術】
水道直圧式貯水タンクの考案はあったものの、耐圧タンクの製造にコストがかかり過ぎ一般に普及していない。したがって、市販のペットボトルの水を備蓄する事ぐらいしか出来ないのが現状である。
【０００３】
【考案が解決しようとする課題】
必要貯水量は人数により異なるので、任意の貯水量の耐圧タンクを容易に製造すること。
【０００４】
【課題を解決するための手段】
市販のビニルパイプを利用し、直径及び長さを必要貯水量から任意に決定し、周囲をコンクリートで固め、水道直圧に耐えられる耐力を持たせることにより耐圧タンクを製造する。
【０００５】
【実施例】
以下、図面に示す実施例についてさらに詳細に説明する。
【０００６】
図は内径２５０ｍｍの市販パイプを１ｍに切断し、両端にキャップを取り付け、キャップには、流入口と流出口を取り付けておき、周りをコンクリートで固めた例である。
【０００７】
このタンクの貯水量は、約４９リットルである。
【０００８】
市販パイプ及びキャップは、水道規格外品を使用するため、耐圧性及び強度を補う目的で周囲をコンクリートで固める。
【０００９】
【考案の効果】
本案は災害時の断水に対する備えとして、１日１人３リットルで最低３日分の水を確保するためのタンクで、各家庭の人数に応じた貯水量を市販品の利用により、安価に容易に確保することが出来る効果がある。
【図面の簡単な説明】
【図１】本案の実施例を示すパイプの長さ方向の断面図である。
【図２】本案の実施例を示すパイプの直径方向の断面図である。
【符号の説明】
１・・内径２５０ｍｍ市販ビニルパイプ
２・・内径２５０ｍｍ市販ビニルパイプ用キャップ
３・・流入口
４・・流出口
５・・取水口
６・・逆止弁
７・・コンクリート
【図１】
0003097584.tif 000003
【図２】
0003097584.tif 000004
(57)【要約】【課題】従来のキャンピングマットに比べて滑りにくく、使い勝手の良いキャンピングマットを提供する。【解決手段】アルミニウム蒸着層１６の上にあるＰＥＴフィルム１８の上に摩擦係数の高い層として、例えばポリアミド層２０を設けている。ポリアミド層は、例えばストライプ状に配することができる。【選択図】　　　　図１
0003097570.tif 000002
【実用新案登録請求の範囲】
【請求項１】
発泡合成樹脂の表面に樹脂フィルム層、アルミニウム蒸着層、ＰＥＴ層を順次形成したキャンピングマットにおいて、
前記ＰＥＴ層の上に、摩擦係数の高い粘着層を設けたことを特徴とするキャンピングマット。
【請求項２】
前記摩擦係数の高い粘着層として、前記発泡合成樹脂の硬度より硬度が低い、ポリアミド樹脂層、塩化酢酸樹脂層、塩化ゴム層、アクリル樹脂層、ポリウレタン樹脂層、硝化綿樹脂層のいずれか１つ又は２つ以上を用いたことを特徴とする請求項１に記載のキャンピングマット。
【請求項３】
前記摩擦係数の高い粘着層が所定間隔でストライプ状に設けられていることを特徴とする請求項１又は２に記載のキャンピングマット。
【請求項４】
前記発泡合成樹脂が発泡ポリエチレンであることを特徴とする請求項１から３のいずれか１つに記載のキャンピングマット。
【請求項５】
前記樹脂フィルム層がポリエチレン層であることを特徴とする請求項１から４のいずれか１つに記載のキャンピングマット。
【考案の詳細な説明】
【０００１】
【考案の属する技術分野】
本考案は、キャンピングマットに関し、特に発泡合成樹脂をベースとするキャンピングマットの改良に関する。
【０００２】
【従来の技術】
キャンピングマットは、キャンプ地のテントの中などで地面に敷いて用いるものである。従来のキャンピングマットは、発泡合成樹脂の表面にアルミニウム蒸着層を設け、その表面がＰＥＴ（ポリエチレンテレフタレート）フィルムで覆われている。
【０００３】
【考案が解決しようとする課題】
しかしながら、従来のキャンピングマットは、表面、すなわちアルミニウム蒸着層の上にＰＥＴフィルムを設けた面の摩擦係数が極めて少なく、シュラフなどを用いてその上に寝ようとしても、滑ってしまって、安定した状態で寝ることができない。また、靴下を履いた状態でキャンピングマットの上を歩こうとすると、滑りやすく安定して歩くことが困難であった。
【０００４】
したがって、本考案は従来のキャンピングマットに比べて滑りにくいキャンピングマットを提供することを目的とする。
【０００５】
【課題を解決するための手段】
上記目的を達成するため、本考案ではアルミニウム蒸着層の上にあるＰＥＴフィルムの上に摩擦係数の高い粘着層を設けている。
【０００６】
すなわち本考案によれば、発泡合成樹脂の表面に樹脂フィルム層、アルミニウム蒸着層、ＰＥＴ層を順次形成したキャンピングマットにおいて、
前記ＰＥＴ層の上に、摩擦係数の高い粘着層を設けたことを特徴とするキャンピングマットが提供される。
【０００７】
また、前記摩擦係数の高い粘着層として、前記発泡合成樹脂の硬度より硬度が低い、ポリアミド樹脂層、塩化酢酸樹脂層、塩化ゴム層、アクリル樹脂層、ポリウレタン樹脂層、硝化綿樹脂層のいずれか１つ又は２つ以上を用いることは、本考案の好ましい態様である。さらに、前記摩擦係数の高い粘着層が所定間隔でストライプ状に設けられていることは本考案の好ましい態様である。また、前記発泡合成樹脂が発泡ポリエチレンであることと、前記樹脂フィルム層がポリエチレン層であることは、それぞれ本考案の好ましい態様である。
【０００８】
【考案の実施の形態】
以下、図面を参照して本考案の好ましい実施の形態について説明する。図１は、本考案にかかるキャンピングマットの好ましい実施の形態の断面図である。図２は、図１に示すキャンピングマットの部分平面図である。なお、図１は、図２中のＩ−Ｉ矢視断面図である。図１に示すように、基材である発泡ポリエチレン層１２の上にポリエチレン層１４が設けられ、その上にアルミニウム蒸着層１６が設けられている。アルミニウム蒸着層１６の上には、ＰＥＴフィルム（ＰＥＴ層）１８が設けられている。ここまでは従来のものと実質的に共通している。
【０００９】
本考案のキャンピングマットでは、上記ＰＥＴフィルム１８の上に摩擦係数の高い粘着層としてポリアミド層２０が設けられている。なお、本実施の形態では、ポリアミド層２０が所定間隔の平行ストライプ状に設けられている。この実施の形態では、ポリアミド層２０が、略４ｍｍという所定間隔を持った平行ストライプ状（幅が略２ｍｍ）であるが、ポリアミド層２０は様々な平面形状（パターン）のものとすることもできる。なお、ポリアミド層２０は、ポリアミドを２０〜２５重量％含む印刷用インクとしてグラビア印刷機によりオフセット印刷で塗布することができる。上記印刷用インクの他の成分としては、一例として、イソプロピルアルコール１０〜２０％、酢酸エチル１０〜２０％、トルエン３０〜４０％、メタノール５〜１０％を用いることができる。
【００１０】
表１は本考案のキャンピングマットの摩擦係数をＪＩＳ　Ｋ７１２５のすべり摩擦試験方法に基づき、従来のものと比較したものである。この表１から明らかなように、本考案のキャンピングマットの摩擦係数（摩擦力）は、静的摩擦で従来の０．４８Ｎから０．９４Ｎと略倍増し、動的摩擦でも従来の０．３８Ｎから０．７８Ｎと略倍増している。
【００１１】
【表１】
0003097570.tif 000003
【００１２】
上記実施の形態では、摩擦係数の高い粘着層として、ポリアミド樹脂層を用いているが、その他に、塩化酢酸樹脂層、塩化ゴム層、アクリル樹脂層、ポリウレタン樹脂層、硝化綿樹脂層のいずれか１つを用いることができる。さらに、これらの材料を２つ以上用いてもよい。なお、これらの材質の硬度は基材である発泡ポリエチレン層の硬度より低い（柔らかい）ものである必要がある。
【００１３】
【考案の効果】
以上説明したように本考案によれば、摩擦係数の高い粘着層が表面に設けられたので、従来の製品に比べて摩擦係数が格段と高くなり、使用時における滑りを防止して、使い勝手を向上させることができる。
【図面の簡単な説明】
【図１】本考案に係るキャンピングマットの好ましい実施の形態の断面図である。
【図２】図１のキャンピングマットの部分平面図である。
【符号の説明】
１０　キャンピングマット
１２　発泡ポリエチレン層
１４　ポリエチレン層
１６　アルミニウム蒸着層
１８　ＰＥＴフィルム（ＰＥＴ層）
２０　ポリアミド層
【図１】
0003097570.tif 000004
【図２】
0003097570.tif 000005
(57)【要約】【課題】四本の支柱の対向する一対の支柱を載置杆で連結すると共に、載置杆の中間部分を交差させ交差部分を枢結するフラワースタンドにおいて、下段載置杆上への花桶の載置を容易に行えるようにする。【解決手段】下方部分を両側外方に張り出して脚部とする対向支柱１，２を、上下多段の載置杆３，４で連結した第一枠体Ａと、前記第一枠体と対応する形状で、且つ対向支柱５，６の一方の支柱６における上下載置杆７，８の中間部分を欠如した第二枠体Ｂとを、両枠体の対応する載置杆を交差させ、交差部分を枢結すると共に、第二枠体の各載置杆の下方に補強杆９を架設してなる。【選択図】　　図１
0003097563.tif 000002
【実用新案登録請求の範囲】
【請求項１】
下方部分を両側外方に張り出して脚部とする対向支柱を、上下多段の載置杆で連結した第一枠体と、前記第一枠体と対応する形状で、且つ対向支柱の一方の支柱における上下載置杆の中間部分を欠如した第二枠体とを、両枠体の対応する載置杆を交差させ、交差部分を枢結すると共に、第二枠体の各載置杆の下方に補強杆を架設してなることを特徴とするフラワースタンド。
【請求項２】
載置杆における両端側を上方に折曲して、載置杆で載置凹部を形成してなる請求項１記載のフラワースタンド。
【請求項３】
載置杆を上下二段とし、下段載置凹部の高さを３０〜４５ｃｍとし、上段を９０〜１１０ｃｍとし、前記各載置凹部から分割支柱の頂部高さを１５〜３０ｃｍにして、上下の分割支柱間隙を２５〜４５ｃｍとしてなる請求項２記載のフラワースタンド。
【請求項４】
第一枠体の載置杆が第二枠体の載置杆の上方に位置して枢結されている請求項１乃至３記載のフラワースタンド。
【考案の詳細な説明】
【０００１】
【産業上の利用分野】
本考案は、冠婚葬祭に使用されるフラワースタンドに関するものである。
【０００２】
【従来技術】
フラワースタンドは従前より種々の構造の器具が知られているが、最も多用されている器具は、四本の支柱の対向する一対の支柱を載置杆で連結すると共に、載置杆の中間部分を交差させ交差部分を枢結し、載置杆を交差状態で使用状態とし、重ね合わせて収納状態とする構造で、特に使用状態において、支柱の下方部分が外周側に張り出して脚部とし、安定させている（特許文献１）。
【０００３】
【特許文献１】
登録実用新案第３０８６６２９号公報
【０００４】
【考案が解決しようとする課題】
ところで、前記の四支柱の折り畳みタイプのフラワースタンドは、四本の支柱に周囲を囲繞された空間で、生花を差し入れた花桶を載置杆上に載置するものであるが、この花桶を載置杆に載置するに際して、支柱の間が狭いと花桶を入れ難い。そこでフラワースタンドを少し扁平にして、支柱間隔を拡ると花桶を入れ易くなるが、安定性に欠け、スタンドを支えながら花桶の組み入れを行うため、一人での載置作業が非常に面倒となる。
そこで本考案は、スタンドが安定状態のままで花桶の出し入れが容易な新規なフラワースタンドを提案したものである。
【０００５】
【課題を解決する手段】
本考案に係るフラワースタンドは、下方部分を両側外方に張り出して脚部とする対向支柱を、上下多段の載置杆で連結した第一枠体と、前記第一枠体と対応する形状で、且つ対向支柱の一方の支柱における上下載置杆の中間部分を欠如した第二枠体とを、両枠体の対応する載置杆を交差させ、交差部分を枢結すると共に、第二枠体の各載置杆の下方に補強杆を架設してなることを特徴とするものである。
【０００６】
而して前記スタンドは、枠体の載置杆を交差させて安定する状態で、分割支柱の上下間隙が、載置杆上への花桶の組み入れ口となる。
【０００７】
【実施例】
次に本考案の実施例について説明する。実施例に示したフラワースタンドは、基本的に従前の器具と同様な構成で、二個の枠体Ａ，Ｂを組み合わせて構成される。
【０００８】
第一枠体Ａは、二本の所定間隔で対向する支柱（高さ１００〜１５０ｃｍ）１，２を上下多段の載置杆（上下間隔６０〜８０ｃｍで、長さ２０〜２５ｃｍ）３，４で連結してなるもので、特に支柱１，２の下方部分を両側外方に張り出して脚部としたものであり、またれた載置杆３，４における両端側を上方に折曲して、載置杆３，４で載置凹部ａ，ｂを形成してなる。
【０００９】
また第二枠体Ｂは、前記第一枠体Ａと同様に対向する支柱５，６と載置杆７，８とを備えてなるが、特に一方の支柱６は、上下載置杆７，８の中間部分を欠如した分割支柱（上部支柱６ａと下部支柱６ｂとで構成）としてなる。また下部支柱６ｂの頂部が下段載置杆８で形成される下段載置凹部ｂから１５〜３０ｃｍの高さとして、上部支柱６ａと下部支柱６ｂの間隔（分割支柱間隙；開口部高さ）を２５〜４５ｃｍとしてなる。更に第二枠体Ｂの各載置杆７，８の下方には、補強杆９ａ，９ｂを架設してなる。
【００１０】
そして前記の第一枠体Ａと第二枠体Ｂとは、互いの載置杆（３，７と４，８）が交差され、交差部分を枢結してなる。
【００１１】
特に第一枠体Ａの載置杆３，４が、第二枠体Ｂの載置杆７，８の上方に位置して枢結する構造を採用すると、各枠体Ａ，Ｂを個別に形成し、これを組み合わせることで器具が形成される。
【００１２】
しかして前記の器具は、枠体Ａ，Ｂを枢結軸を中心に回動し、重ね合わせた状態とすると扁平状態となり、容易に運搬収納ができ、使用に際しては枠体Ａ，Ｂを回動し、載置杆（３，７と４，８）を交差状態として、支柱１，２，５，６を四方に配置開脚させることで、安定して直立する。そして上下の載置凹部ａ，ｂに花桶Ｃを載置し、花桶Ｃに花を生けて使用するが、特に分割支柱６ａ，６ｂを採用したことによって、分割支柱間隙ｃから下段載置凹部ｂに花桶Ｃを入れることになり、支柱の邪魔が無いので簡単に前記作業を行うことができるものである。
【００１３】
尚前記実施例は２段構成のスタンドの例を示したが、３段構成で、下段のみに分割支柱間隙を採用する構造であっても、又は下段と中段に分割支柱間隙を採用する構造であっても良い。
【００１４】
【考案の効果】
以上のように本考案は、下方部分を両側外方に張り出して脚部とする対向支柱を、上下多段の載置杆で連結した第一枠体と、前記第一枠体と対応する形状で、且つ対向支柱の一方の支柱における上下載置杆の中間部分を欠如した第二枠体とを、両枠体の対応する載置杆を交差させ、交差部分を枢結すると共に、第二枠体の各載置杆の下方に補強杆を架設してなるフラワースタンドで、支柱を四方に配置した使用状態で、分割支柱間隙が花桶の組み入れ口となり、作業性を向上させるものである。
【図面の簡単な説明】
【図１】本考案の実施例の全体斜視図。
【図２】同折り畳み状態（運搬収納状態）の斜視図。
【図３】同使用状態の説明図。
【符号の説明】
１，２，５，６　　支柱
３，４，７，８　　載置杆
９　　　　　　　　補強杆
【図１】
0003097563.tif 000003
【図２】
0003097563.tif 000004
【図３】
0003097563.tif 000005